(57)【特許請求の範囲】
【請求項１】
編み糸とカバーリングヤーンとでもって爪先部、足甲部、底部、踵部、レッグ部及び履口部を編成してなる靴下において、
上記レッグ部及び履口部が編み糸とカバーリングヤーンとでもってかつ上記履口部にゴム糸を用いることなくレッグ部下端から履口部上端に向けて度目を連続的又は段階的に増加させて脚レッグ部分の形状に実質的に一致する形状に、１×１のあぜ編み、２×１のあぜ編み及び／又は３×１のあぜ編みによって編成されていることを特徴とする靴下。
【発明の詳細な説明】
【０００１】
【発明の属する技術分野】
この発明は靴下に関し、特に履口の喰い込みによる苦痛を感じることなく快適に履くことのできるようにした靴下に関する。
【０００２】
【従来の技術】
通常、靴下では平編み、メッシュ編み、パイル編み、あぜ編み又はこれらの組合せによって編成し、締付力を付与することが行われているが、一般的には図３に示されるように、レッグ部３１、足甲部３２、底部３３、爪先部３４及び踵部３５についてはその裏糸のカバーリングヤーン、例えばナイロン巻ポリウレタンの適度な伸縮弾性により、靴下を履いた人の脚や足にフィットさせる一方、履口部３０については更にゴム糸を編み込み、ゴム糸の大きな伸縮弾性によって靴下のずり落ちを防止するようにしている。
【０００３】
しかし、靴下のずれを確実に防止しようとすると、履口部３０の伸縮弾性を大きくする必要があり、靴下の履口が皮膚に喰い込むほど強く締め付けられて苦痛を感じることがあった。
【０００４】
これに対し、実公平０６−１９５２１号公報に示されるように、靴下の足首部分にのみゴム糸やカバーリングヤーンの弾性糸を編み込み、足首部分の上方のレッグ部や履口部には弾性糸を編み込まず、足首部分で締付け、レッグ部及び履口部をフリーな状態とし、レッグ部及び履口部の生地特性によってずれ落ちを防止するようにした靴下が提案されている。
【０００５】
【発明が解決しようとする課題】
しかし、上記従来公報記載の靴下ではレッグ部及び履口部に適度な締付け感がないので、履いた時に違和感を感じて履きにくいという問題があった。
【０００６】
本発明は、かかる問題点に鑑み、履口の喰い込みによる苦痛を感じることなく快適に履くことのできるようにした靴下を提供することを課題とする。
【０００７】
【課題を解決するための手段】
そこで、本発明に係る靴下は、編み糸とカバーリングヤーンとでもって爪先部、足甲部、底部、踵部、レッグ部及び履口部を編成してなる靴下において、上記レッグ部及び履口部がレッグ部下端から履口部上端に向けて度目を連続的又は段階的に増加させて脚レッグ部分の形状に実質的に一致するラッパ形状にあぜ編みによって編成されていることを特徴とする。
【０００８】
本発明の特徴の１つはレッグ部及び履口部をあぜ編みとし、しかも度目をレッグ部下端から履口部上端に向けて度目を連続的又は段階的に増加させて脚のレッグ部分の形状に実質的に一致するラッパ形状に構成した点にある。
【０００９】
これにより、あぜ編みによって適度な伸び特性と適度の締付力とが得られ、しかもレッグ部と履口部を脚レッグ部分の形状にほぼ一致した形状としているので、適度な伸びと締付力とによって脚のレッグ部分の全体をふんわりと包み込むことができるとともに、締付力が脚レッグ部分の全体に均等に作用するので、靴下が脚レッグ部分にしっかりと抱きついて保持され、ずれ落ちることがない。
【００１０】
その結果、従来のように履口が皮膚に喰い込むといったことはなく、しかも適度な締付感があるので、違和感なく履くことができる。
【００１１】
また、従来の靴下のように履口部にゴム糸を編み込んでおらず、あぜ編みによる適度な伸び特性により、小さな力でレッグ部及び履口部の全体が大きく伸びるので、手足の筋力が弱った老人や病人にも容易に履くことができ、又脱ぐ時にも靴下を簡単に脱ぐことができる。
【００１２】
ここで、あぜ編みとはたて方向の表目のウェールと裏目のウェールとが交互に並ぶ編み方をいうが、１ウェールごとに表目と裏目とを配列したものを１×１のあぜ編み、表目２ウェールごとに裏目を１ウェール配列したものを２×１のあぜ編み、表目３ウェールごとに裏目を１ウェール配列したものを３×１のあぜ編み等という。本件発明者らの試作によれば１×１のあぜ編みから３×１のあぜ編みまでで良好な結果が得られたが、靴下のずれ落ちを防止する上で、１×１のあぜ編みで最も効果が確認された。なお、１×１のあぜ編みを主とし、部分的に２×１のあぜ編み又は３×１のあぜ編みを組合せても良好な結果が得られた。
【００１３】
足甲部、爪先部、底部及び踵部については編み方は特に限定されず、平編み、メッシュ編み、パイル編み、あぜ編みあるいはこれらの組合せで編成することができる。
【００１４】
また、編み糸の材質については特に限定されず、綿糸、綿アクリル混紡糸、毛糸、毛アクリル混紡糸、絹糸、絹アクリル混紡糸等、靴下に採用される編み糸を用いることができる。
【００１５】
本発明はレッグ部の短いソックス、レッグ部の長いハイソックスのいずれにも適用できる。
【００１６】
【発明の実施の形態】
以下、本発明を図面に示す具体例に基づいて詳細に説明する。図１及び図２は本発明に係る靴下の好ましい実施形態を示す。靴下は履口部１０、レッグ部１１、足甲部１２、底部１３、踵部１５及び爪先部１４から構成されている。
【００１７】
また、履口部１０、レッグ部１１、足甲部１２は表糸して４８番手の２本のウール糸を撚り合わせたウール糸を２本、裏糸として４０デニールのポリウレタンを芯として７５デニールのポリエステルをカバーリングしたカバーリングヤーンを用い、１×１のあぜ編みにて編成されている。なお、部分的には２×１のあぜ編み又は３×１のあぜ編みを組み合わせてもよい。
【００１８】
また、足甲部１２は全体に等しい度目が採用され、履口部１０及びレッグ部１１についてはレッグ部１１下端から履口部１０上端に向けて度目が連続的（又は段階的）に増加され、これにより脚レッグ部分の形状に実質的に一致するラッパ形状となっている。
【００１９】
また、底部１３、爪先部１４及び踵部３５は同じ表糸及び裏糸を用い、平編みにて編成されている。
【００２０】
ここで、１×１のあぜ編みでは図２に示されるように、表目のウェール５０と裏目のウェール５１とが交互に並んだ編み目をなしている。なお、４０は裏糸、４１は表糸である。
【００２１】
以上のような本例の靴下では靴下のレッグ部１１及び履口部１０をあぜ編みとし、しかも脚レッグ部分Ｌの形状とほぼ合致するラッパ形状としたので、あぜ編みの適度な伸びと適度な締付力とによって脚レッグ部分Ｌの全体をふんわりと包み込み、しかも締付力が脚レッグ部分Ｌの全体に均等に作用し、靴下のレッグ部１１及び履口部１０が脚レッグ部分Ｌに抱きついて保持され、靴下がずり落ちるのを確実に防止できる。
【００２２】
その結果、履口部１０にゴム糸を編み込んで履口部１０の締付力を大きくする必要はなくなり、靴下履口部１０の不快な喰い込み感を解消できる。
【００２３】
また、履口部１０にゴム糸を編み込んでおらず、しかもあぜ編みの適度な伸び特性により小さな力で靴下の履口部１０及びレッグ部１１の全体が大きく伸びるので、手足の筋力が弱った老人や病人にも容易に履くことができ、又脱ぐ時にも靴下を簡単に脱ぐことができる。
【図面の簡単な説明】
【図１】  本発明に係る靴下の好ましい実施形態を示す図である。
【図２】  上記実施形態におけるあぜ編みを説明するための図である。
【図３】  一般的な靴下を説明するための図である。
【符号の説明】
１０      履口部
１１      レッグ部
１２      足甲部
１３      底部
１４      爪先部
１５      踵部
Ｌ        脚レッグ部分
【図１】
0004035964.tif 000002
【図２】
0004035964.tif 000003
【図３】
0004035964.tif 000004